(57)【要約】  本発明はアクセス方法及び伝送ポイントを提供する。本発明の実施例では、第１伝送ポイントは第２伝送ポイントから送信された、前記第２伝送ポイントが中継機能をサポートすることを指示するための指示情報を受信し、それにより前記第１伝送ポイントは前記指示情報に基づいて、前記第２伝送ポイントが位置する無線アクセスネットワークにアクセスすることができ、第１伝送ポイントが中継ノードとして無線アクセスネットワークにアクセスすることを実現する。
2021521734.tif 000002
【特許請求の範囲】
【請求項１】
アクセス方法であって、
第１伝送ポイントは第２伝送ポイントから送信された、前記第２伝送ポイントが中継機能をサポートすることを指示するための指示情報を受信することと、
前記第１伝送ポイントは前記指示情報に基づいて、前記第２伝送ポイントが位置する無線アクセスネットワークにアクセスすることと、を含むことを特徴とするアクセス方法。
【請求項２】
前記第１伝送ポイントが第２伝送ポイントから送信された指示情報を受信することは、
前記第１伝送ポイントは前記第２伝送ポイントがシステムブロードキャストメッセージ、同期信号又は上位層シグナリングによって送信した前記指示情報を受信することを含むことを特徴とする請求項１に記載の方法。
【請求項３】
前記第１伝送ポイントが、前記第２伝送ポイントがシステムブロードキャストメッセージによって送信した前記指示情報を受信することは、
前記第１伝送ポイントは前記第２伝送ポイントがシステムブロードキャストメッセージにおけるＭＩＢ又はＳＩＢによって送信した前記指示情報を受信することを含むことを特徴とする請求項２に記載の方法。
【請求項４】
前記第１伝送ポイントが、前記第２伝送ポイントが同期信号によって送信した前記指示情報を受信することは、
前記第１伝送ポイントは前記第２伝送ポイントがプライマリ同期信号及び／又はセカンダリ同期信号によって送信した前記指示情報を受信することを含むことを特徴とする請求項２に記載の方法。
【請求項５】
前記第１伝送ポイントが、前記第２伝送ポイントが同期信号によって送信した前記指示情報を受信することは、
前記第１伝送ポイントは前記第２伝送ポイントが指定同期信号によって送信した前記指示情報を受信すること、又は、
前記第１伝送ポイントは前記第２伝送ポイントが指定グループ内のいずれかの同期信号によって送信した前記指示情報を受信することを含むことを特徴とする請求項２に記載の方法。
【請求項６】
前記第１伝送ポイントが、前記第２伝送ポイントが上位層シグナリングによって送信した前記指示情報を受信することは、
前記第１伝送ポイントは前記第２伝送ポイントがＲＲＣメッセージによって送信した前記指示情報を受信することを含むことを特徴とする請求項２に記載の方法。
【請求項７】
前記指示情報には、前記第２伝送ポイントの前記無線アクセスネットワークでの伝送階層又は伝送ホップ数が含まれることを特徴とする請求項１〜６のいずれか一項に記載の方法。
【請求項８】
前記第１伝送ポイントは第１中継装置を含み、
前記第２伝送ポイントは第２中継装置又は前記無線アクセスネットワークのアクセスネットワーク装置を含むことを特徴とする請求項１〜７のいずれか一項に記載の方法。
【請求項９】
アクセス方法であって、
第２伝送ポイントは前記第２伝送ポイントが中継機能をサポートすることを指示するための指示情報を第１伝送ポイントに送信し、それによって前記第１伝送ポイントは前記指示情報に基づいて、前記第２伝送ポイントが位置する無線アクセスネットワークにアクセスすることを含むことを特徴とするアクセス方法。
【請求項１０】
前記第２伝送ポイントが指示情報を第１伝送ポイントに送信することは、
前記第２伝送ポイントがシステムブロードキャストメッセージ、同期信号又は上位層シグナリングによって前記指示情報を前記第１伝送ポイントに送信することを含むことを特徴とする請求項９に記載の方法。
【請求項１１】
前記第２伝送ポイントがシステムブロードキャストメッセージによって前記指示情報を前記第１伝送ポイントに送信することは、
前記第２伝送ポイントがシステムブロードキャストメッセージにおけるＭＩＢ又はＳＩＢによって、前記指示情報を前記第１伝送ポイントに受発信することを含むことを特徴とする請求項１０に記載の方法。
【請求項１２】
前記第２伝送ポイントが同期信号によって前記指示情報を前記第１伝送ポイントに送信することは、
前記第２伝送ポイントがプライマリ同期信号及び／又はセカンダリ同期信号によって前記指示情報を前記第１伝送ポイントに受発信することを含むことを特徴とする請求項１０に記載の方法。
【請求項１３】
前記第２伝送ポイントが同期信号によって前記指示情報を前記第１伝送ポイントに送信することは、
前記第２伝送ポイントが指定同期信号によって前記指示情報を前記第１伝送ポイントに受発信すること、又は、
前記第２伝送ポイントが指定グループ内のいずれかの同期信号によって前記指示情報を前記第１伝送ポイントに受発信することを含むことを特徴とする請求項１０に記載の方法。
【請求項１４】
前記第２伝送ポイントが上位層シグナリングによって前記指示情報を前記第１伝送ポイントに送信することは、
前記第２伝送ポイントがＲＲＣメッセージによって前記指示情報を前記第１伝送ポイントに受発信することを含むことを特徴とする請求項１０に記載の方法。
【請求項１５】
前記指示情報には、前記第２伝送ポイントの前記無線アクセスネットワークでの伝送階層又は伝送ホップ数が含まれることを特徴とする請求項９〜１４のいずれか一項に記載の方法。
【請求項１６】
前記第１伝送ポイントは第１中継装置を含み、
前記第２伝送ポイントは第２中継装置又は前記無線アクセスネットワークのアクセスネットワーク装置を含むことを特徴とする請求項９〜１５のいずれか一項に記載の方法。
【請求項１７】
第１伝送ポイントであって、
第２伝送ポイントから送信された、前記第２伝送ポイントが中継機能をサポートすることを指示するための指示情報を受信することに用いられる受信ユニットと、
前記指示情報に基づいて、前記第２伝送ポイントが位置する無線アクセスネットワークにアクセスすることに用いられるアクセスユニットと、を備えることを特徴とする第１伝送ポイント。
【請求項１８】
前記受信ユニットは具体的に、
前記第２伝送ポイントがシステムブロードキャストメッセージ、同期信号又は上位層シグナリングによって送信した前記指示情報を受信することに用いられることを特徴とする請求項１７に記載の第１伝送ポイント。
【請求項１９】
前記受信ユニットは具体的に、
前記第２伝送ポイントがシステムブロードキャストメッセージにおけるＭＩＢ又はＳＩＢによって送信した前記指示情報を受信することに用いられることを特徴とする請求項１８に記載の第１伝送ポイント。
【請求項２０】
前記受信ユニットは具体的に、
前記第２伝送ポイントがプライマリ同期信号及び／又はセカンダリ同期信号によって送信した前記指示情報を受信することに用いられることを特徴とする請求項１８に記載の第１伝送ポイント。
【請求項２１】
前記受信ユニットは具体的に、
前記第２伝送ポイントが指定同期信号によって送信した前記指示情報を受信すること、又は、
前記第２伝送ポイントが指定グループ内のいずれかの同期信号によって送信した前記指示情報を受信することに用いられることを特徴とする請求項１８に記載の第１伝送ポイント。
【請求項２２】
前記受信ユニットは具体的に、
前記第２伝送ポイントがＲＲＣメッセージによって送信した前記指示情報を受信することに用いられることを特徴とする請求項１８に記載の第１伝送ポイント。
【請求項２３】
前記指示情報には、前記第２伝送ポイントの前記無線アクセスネットワークでの伝送階層又は伝送ホップ数が含まれることを特徴とする請求項１７〜２２のいずれか一項に記載の第１伝送ポイント。
【請求項２４】
前記第１伝送ポイントは第１中継装置を含み、
前記第２伝送ポイントは第２中継装置又は前記無線アクセスネットワークのアクセスネットワーク装置を含むことを特徴とする請求項１７〜２３のいずれか一項に記載の第１伝送ポイント。
【請求項２５】
第２伝送ポイントであって、
前記第２伝送ポイントが中継機能をサポートすることを指示するための指示情報を第１伝送ポイントに送信し、それによって前記第１伝送ポイントが前記指示情報に基づいて、前記第２伝送ポイントが位置する無線アクセスネットワークにアクセスすることに用いられる送信ユニットを備えることを特徴とする第２伝送ポイント。
【請求項２６】
前記送信ユニットは具体的に、
システムブロードキャストメッセージ、同期信号又は上位層シグナリングによって前記指示情報を前記第１伝送ポイントに送信することに用いられることを特徴とする請求項２５に記載の第２伝送ポイント。
【請求項２７】
前記送信ユニットは具体的に、
システムブロードキャストメッセージにおけるＭＩＢ又はＳＩＢによって前記指示情報を前記第１伝送ポイントに受発信することに用いられることを特徴とする請求項２６に記載の第２伝送ポイント。
【請求項２８】
前記送信ユニットは具体的に、
プライマリ同期信号及び／又はセカンダリ同期信号によって前記指示情報を前記第１伝送ポイントに受発信することに用いられることを特徴とする請求項２６に記載の第２伝送ポイント。
【請求項２９】
前記送信ユニットは具体的に、
指定同期信号によって前記指示情報を前記第１伝送ポイントに受発信すること、又は、
指定グループ内のいずれかの同期信号によって前記指示情報を前記第１伝送ポイントに受発信することに用いられることを特徴とする請求項２６に記載の第２伝送ポイント。
【請求項３０】
前記送信ユニットは具体的に、
ＲＲＣメッセージによって、前記指示情報を前記第１伝送ポイントに受発信することに用いられることを特徴とする請求項２６に記載の第２伝送ポイント。
【請求項３１】
前記指示情報には、前記第２伝送ポイントの前記無線アクセスネットワークでの伝送階層又は伝送ホップ数が含まれることを特徴とする請求項２５〜３０のいずれか一項に記載の第２伝送ポイント。
【請求項３２】
前記第１伝送ポイントは第１中継装置を含み、
前記第２伝送ポイントは第２中継装置又は前記無線アクセスネットワークのアクセスネットワーク装置を含むことを特徴とする請求項２５〜３１のいずれか一項に記載の第２伝送ポイント。
【請求項３３】
通信装置であって、プロセッサ及びメモリを備え、該メモリはコンピュータプログラムを記憶することに用いられ、前記プロセッサは前記メモリに記憶されるコンピュータプログラムを呼び出して実行して、請求項１〜１６のいずれか一項に記載の方法を実行することに用いられることを特徴とする通信装置。
【請求項３４】
チップであって、メモリからコンピュータプログラムを呼び出して実行して、前記チップを搭載する装置に請求項１〜８のいずれか一項に記載の方法を実行させることに用いられるプロセッサを備えることを特徴とするチップ。
【請求項３５】
チップであって、メモリからコンピュータプログラムを呼び出して実行して、前記チップを搭載する装置に請求項９〜１６のいずれか一項に記載の方法を実行させることに用いられるプロセッサを備えることを特徴とするチップ。
【請求項３６】
コンピュータ可読記憶媒体であって、コンピュータプログラムを記憶することに用いられ、前記コンピュータプログラムによってコンピュータが請求項１〜８のいずれか一項に記載の方法を実行することを特徴とするコンピュータ可読記憶媒体。
【請求項３７】
コンピュータ可読記憶媒体であって、コンピュータプログラムを記憶することに用いられ、前記コンピュータプログラムによってコンピュータが請求項９〜１６のいずれか一項に記載の方法を実行することを特徴とするコンピュータ可読記憶媒体。
【請求項３８】
コンピュータプログラム製品であって、コンピュータプログラム命令を含み、該コンピュータプログラム命令によってコンピュータが請求項１〜８のいずれか一項に記載の方法を実行することを特徴とするコンピュータプログラム製品。
【請求項３９】
コンピュータプログラム製品であって、コンピュータプログラム命令を含み、該コンピュータプログラム命令によってコンピュータが請求項９〜１６のいずれか一項に記載の方法を実行することを特徴とするコンピュータプログラム製品。
【請求項４０】
コンピュータに請求項１〜８のいずれか一項に記載の方法を実行させることを特徴とするコンピュータプログラム。
【請求項４１】
コンピュータに請求項９〜１６のいずれか一項に記載の方法を実行させることを特徴とするコンピュータプログラム。
【発明の詳細な説明】
【技術分野】
【０００１】
本発明は通信技術に関し、特にアクセス方法及び伝送ポイントに関する。
【背景技術】
【０００２】
無線通信システム、例えば発展型ロングタームエボリューションアドバンスド（Ｌｏｎｇ  Ｔｅｒｍ  Ｅｖｏｌｕｔｉｏｎ−Ａｄｖａｎｃｅｄ、ＬＴＥ−Ａ）システムでは、端末と発展型基地局（Ｅｖｏｌｖｅｄ  ＮｏｄｅＢ、ｅＮＢ）との間に中継ノード（Ｒｅｌａｙ  Ｎｏｄｅ、ＲＮ）が導入されており、中継ノードは無線方式によって、その属するｅＮＢでのセルに接続可能であり、該属するｅＮＢはＤｏｎｏｒ  ｅＮＢ（ＤｅＮＢ）と呼ばれ、該属するｅＮＢでのセルはＤｏｎｏｒ  ｃｅｌｌと呼ばれる。
【０００３】
しかしながら、中継ノードが導入されているため、中継ノードの無線アクセスネットワークへのアクセスを実現するアクセス方法を提供することが望まれている。
【発明の概要】
【発明が解決しようとする課題】
【０００４】
本発明の複数の態様ではアクセス方法及び伝送ポイントを提供し、それによって中継ノードの無線アクセスネットワークへのアクセスを実現する。
【課題を解決するための手段】
【０００５】
第１態様によれば、アクセス方法を提供し、
第１伝送ポイントは第２伝送ポイントから送信された、前記第２伝送ポイントが中継機能をサポートすることを指示するための指示情報を受信することと、
前記第１伝送ポイントは前記指示情報に基づいて、前記第２伝送ポイントが位置する無線アクセスネットワークにアクセスすることと、を含む。
【０００６】
第２態様によれば、他のアクセス方法を提供し、
第２伝送ポイントは前記第２伝送ポイントが中継機能をサポートすることを指示するための指示情報を第１伝送ポイントに送信し、それによって前記第１伝送ポイントは前記指示情報に基づいて、前記第２伝送ポイントが位置する無線アクセスネットワークにアクセスすることを含む。
【０００７】
第３態様によれば、第１伝送ポイントを提供し、
第２伝送ポイントから送信された、前記第２伝送ポイントが中継機能をサポートすることを指示するための指示情報を受信することに用いられる受信ユニットと、
前記指示情報に基づいて、前記第２伝送ポイントが位置する無線アクセスネットワークにアクセスすることに用いられるアクセスユニットと、を備える。
【０００８】
第４態様によれば、第２伝送ポイントを提供し、
前記第２伝送ポイントが中継機能をサポートすることを指示するための指示情報を第１伝送ポイントに送信し、それによって前記第１伝送ポイントが前記指示情報に基づいて、前記第２伝送ポイントが位置する無線アクセスネットワークにアクセスすることに用いられる送信ユニットを備える。
【０００９】
第５態様によれば、通信装置を提供し、プロセッサ及びメモリを備える。該メモリはコンピュータプログラムを記憶することに用いられ、該プロセッサは該メモリに記憶されるコンピュータプログラムを呼び出して実行して、上記第１態様〜第２態様のいずれか又はその各実施形態に記載の方法を実行することに用いられる。
【００１０】
第６態様によれば、チップを提供し、上記第１態様〜第２態様のいずれか又はその各実施形態に記載の方法を実現することに用いられる。
【００１１】
具体的に、該チップは、メモリからコンピュータプログラムを呼び出して実行して、該チップを搭載する装置に上記第１態様〜第２態様のいずれか又はその各実施形態に記載の方法を実行させることに用いられるプロセッサを備える。
【００１２】
第７態様によれば、コンピュータ可読記憶媒体を提供し、コンピュータプログラムを記憶することに用いられ、該コンピュータプログラムによってコンピュータが上記第１態様〜第２態様のいずれか又はその各実施形態に記載の方法を実行する。
【００１３】
第８態様によれば、コンピュータプログラム製品を提供し、コンピュータプログラム命令を含み、該コンピュータプログラム命令によってコンピュータが上記第１態様〜第２態様のいずれか又はその各実施形態に記載の方法を実行する。
【００１４】
第９態様によれば、コンピュータプログラムを提供し、コンピュータによって実行されると、コンピュータに上記第１態様〜第２態様のいずれか又はその各実施形態に記載の方法を実行させる。
【発明の効果】
【００１５】
上記技術案によれば、本発明の実施例では、第１伝送ポイントは第２伝送ポイントから送信された、前記第２伝送ポイントが中継機能をサポートすることを指示するための指示情報を受信し、それによって前記第１伝送ポイントは前記指示情報に基づいて、前記第２伝送ポイントが位置する無線アクセスネットワークにアクセスすることができ、第１伝送ポイントが中継ノードとして無線アクセスネットワークにアクセスすることを実現する。
【００１６】
また、本発明に係る技術案によれば、第２伝送ポイントから送信された指示情報に前記第２伝送ポイントの前記無線アクセスネットワークでの伝送階層又は伝送ホップ数を含めることによって、第１伝送ポイントは前記伝送階層又は伝送ホップ数に基づいて、前記無線アクセスネットワークへのアクセスに使用される伝送リソースを取得することができ、無線アクセスネットワークのアクセス効率を効果的に向上させることができる。
【図面の簡単な説明】
【００１７】
本発明の実施例の技術案をより明瞭に説明するために、以下、実施例又は従来技術の説明に必要な図面を簡単に説明する。明らかなように、以下説明される図面は本発明のいくつかの実施例であり、当業者は創造的な努力をせずに、これらの図面に基づいて他の図面をなし得る。
【００１８】
【図１】図１は本発明の一実施例に係るアクセス方法の模式的なフローチャートである。
【図２】図２は本発明の他の実施例に係る他のアクセス方法の模式的なフローチャートである。
【図３】図３は本発明の他の実施例に係る第１伝送ポイントの構造模式図である。
【図４】図４は本発明の他の実施例に係る第２伝送ポイントの構造模式図である。
【図５】図５は本願の実施例に係る通信装置の模式的なブロック図である。
【図６】図６は本願の実施例に係るチップの模式的なブロック図である。
【発明を実施するための形態】
【００１９】
本発明の実施例の目的、技術案及び利点をより明瞭にするために、以下、本発明の実施例の図面を参照しながら本発明の実施例の技術案を明瞭で完全に説明する。明らかなように、説明される実施例は本発明の一部の実施例であり、全部の実施例ではない。本発明の実施例に基づいて、当業者が創造的な努力をせずになし得る他の実施例はすべて本発明の保護範囲に属する。
【００２０】
なお、本発明の実施例に係る端末は携帯電話、パーソナルデジタルアシスタント（Ｐｅｒｓｏｎａｌ  Ｄｉｇｉｔａｌ  Ａｓｓｉｓｔａｎｔ、ＰＤＡ）、無線ハンドヘルドデバイス、タブレットコンピュータ（Ｔａｂｌｅｔ  Ｃｏｍｐｕｔｅｒ）、パソコン（Ｐｅｒｓｏｎａｌ  Ｃｏｍｐｕｔｅｒ、ＰＣ）、ＭＰ３プレーヤー、ＭＰ４プレーヤー、ウェアラブル装置（例えば、スマートグラス、スマートウォッチ、スマートブレスレット等）、車載端末等を含むが、これらに限定されない。
【００２１】
また、本明細書では、用語「及び／又は」は単に関連対象を説明する関連関係であり、３種の関係が存在することを示す。例えば、Ａ及び／又はＢは、Ａのみが存在すること、Ａ及びＢが同時に存在すること、Ｂのみが存在することの３種の状況を示す。また、本明細書では、記号「／」は一般に前後の関連対象が「又は」の関係であることを示す。
【００２２】
図１に示すように、図１は本発明の一実施例に係るアクセス方法の模式的なフローチャートである。
【００２３】
１０１、第１伝送ポイントは第２伝送ポイントから送信された、前記第２伝送ポイントが中継機能をサポートすることを指示するための指示情報を受信する。
【００２４】
１０２、前記第１伝送ポイントは前記指示情報に基づいて、前記第２伝送ポイントが位置する無線アクセスネットワークにアクセスする。
【００２５】
選択肢として、本実施例では、前記第２伝送ポイントが中継機能をサポートすることは、該第２伝送ポイントが例えば中継装置等のような他の伝送ポイント（即ち、第１伝送ポイント）の、該第２伝送ポイントが位置する無線アクセスネットワークへのアクセスをサポートすることを指す。
【００２６】
選択肢として、本実施例では、前記第２伝送ポイントが位置する無線アクセスネットワークにアクセスすることは、中継装置（即ち、第１伝送ポイント）が第２伝送ポイントから送信された同期信号を受信して、第２伝送ポイントをアクセスポイントとして無線アクセスネットワークにアクセスすることを指す。
【００２７】
このように、第２伝送ポイントが中継機能をサポートするため、第１伝送ポイントは第２伝送ポイントを介して、該第２伝送ポイントが位置する無線アクセスネットワークにアクセスすることができる。
【００２８】
なお、前記第１伝送ポイントは第１中継装置を含み得るが、これに限定されない。シングルホップアクセスのみをサポートする中継システムの場合、前記第２伝送ポイントは前記無線アクセスネットワークのアクセスネットワーク装置であってもよく、マルチホップアクセスをサポートする中継システムの場合、前記第２伝送ポイントは第２中継装置又は前記無線アクセスネットワークのアクセスネットワーク装置であってもよいが、本実施例ではこれを特に限定しない。
【００２９】
選択肢として、本実施例の可能な実施形態において、１０１では、前記第１伝送ポイントは具体的に、前記第２伝送ポイントがシステムブロードキャストメッセージ、同期信号又は上位層シグナリングによって送信した前記指示情報を受信するようにしてもよい。
【００３０】
具体的な実施プロセスでは、前記第１伝送ポイントは具体的に、前記第２伝送ポイントがシステムブロードキャストメッセージにおけるＭＩＢ又はＳＩＢによって送信した前記指示情報を受信するようにしてもよい。
【００３１】
例えば、具体的に、前記システムブロードキャストメッセージにおける既存のマスター情報ブロック（Ｍａｓｔｅｒ  Ｉｎｆｏｒｍａｔｉｏｎ  Ｂｌｏｃｋ、ＭＩＢ）又はシステム情報ブロック（Ｓｙｓｔｅｍ  Ｉｎｆｏｒｍａｔｉｏｎ  Ｂｌｏｃｋ、ＳＩＢ）中のＫビット（ｂｉｔ）に前記指示情報が含まれ、Ｋが１以上の整数であり、又は新たなＳＩＢを追加して前記指示情報を含めるようにしてもよい。
【００３２】
又は、また例えば、具体的に、前記システムブロードキャストメッセージにおける既存のマスター情報ブロック（Ｍａｓｔｅｒ  Ｉｎｆｏｒｍａｔｉｏｎ  Ｂｌｏｃｋ、ＭＩＢ）又はシステム情報ブロック（Ｓｙｓｔｅｍ  Ｉｎｆｏｒｍａｔｉｏｎ  Ｂｌｏｃｋ、ＳＩＢ）を伝送する基準信号によって、前記指示情報を指示するようにしてもよい。例えば、基準信号のルートシーケンス、サイクリックシフト（Ｃｙｃｌｉｃ  ｓｈｉｆｔ）、直交カバーコード（Ｏｒｔｈｏｇｏｎａｌ  ｃｏｖｅｒ  ｃｏｄｅ）等によって、前記指示情報を指示するようにしてもよい。
【００３３】
他の具体的な実施プロセスでは、前記第１伝送ポイントは前記第２伝送ポイントがプライマリ同期信号及び／又はセカンダリ同期信号によって送信した前記指示情報を受信するようにしてもよいが、これに限定されない。
【００３４】
他の具体的な実施プロセスでは、前記第１伝送ポイントは具体的に、前記第２伝送ポイントが指定同期信号によって送信した前記指示情報を受信するようにしてもよい。
【００３５】
他の具体的な実施プロセスでは、前記第１伝送ポイントは具体的に、前記第２伝送ポイントが指定グループ内のいずれかの同期信号によって送信した前記指示情報を受信するようにしてもよい。
【００３６】
具体的に、同期信号をグループ化して第１グループ及び第２グループの２つのグループを取得してもよい。第１グループ内の同期信号は、いずれも前記第２伝送ポイントが中継機能をサポートすることを示し、第２グループ内の同期信号は、いずれも前記第２伝送ポイントが中継機能をサポートしないことを示す。前記第２伝送ポイントは自体が中継機能をサポートするか否かに応じて、対応するグループから１つの同期信号を任意に選択して伝送することができる。
【００３７】
前記第１伝送ポイントは同期信号を受信すると、該同期信号及び予め設定された第１マッピング関係に基づいて、前記第２伝送ポイントが中継機能をサポートするか否かを決定することができる。第１マッピング関係は同期信号とグループとの対応関係、又は同期信号と中継機能をサポートするか否かとの対応関係であってもよいが、本実施例ではそれを特に限定しない。
【００３８】
他の具体的な実施プロセスでは、前記第１伝送ポイントは具体的に、前記第２伝送ポイントが無線物理リソース制御（Ｒａｄｉｏ  Ｒｅｓｏｕｒｃｅ  Ｃｏｎｔｒｏｌ、ＲＲＣ）メッセージによって送信した前記指示情報を受信するようにしてもよい。
【００３９】
具体的に、ＲＲＣメッセージにおける情報要素（Ｉｎｆｏｒｍａｔｉｏｎ  Ｅｌｅｍｅｎｔ、ＩＥ）に前記指示情報を含めてもよく、前記ＲＲＣメッセージは従来技術のＲＲＣメッセージであってもよく、例えば、ＲＲＣ接続再設定（ＲＲＣ  ＣＯＮＮＥＣＴＩＯＮ  ＲＥＣＯＮＦＩＧＵＲＡＴＩＯＮ）メッセージ等が挙げられるが、本実施例ではこれを限定せず、既存のＲＲＣメッセージのＩＥを拡張して前記指示情報を含め、又は前記ＲＲＣメッセージは従来技術の既存のＲＲＣメッセージと異なるものであってもよい。
【００４０】
他の具体的な実施プロセスでは、前記第１伝送ポイントは具体的に、前記第２伝送ポイントがメディアアクセス制御（Ｍｅｄｉａ  Ａｃｃｅｓｓ  Ｃｏｎｔｒｏｌ、ＭＡＣ）の制御要素（Ｃｏｎｔｒｏｌ  Ｅｌｅｍｅｎｔ、ＣＥ）メッセージによって送信した前記指示情報を受信するようにしてもよい。
【００４１】
具体的に、新たなＭＡＣ  ＣＥメッセージを追加して前記指示情報を含めてもよい。
【００４２】
選択肢として、本実施例の可能な実施形態において、１０１では、前記第１伝送ポイントが受信した前記指示情報には更に、前記第２伝送ポイントの前記無線アクセスネットワークでの伝送階層又は伝送ホップ数が含まれてもよい。
【００４３】
例えば、Ｄｏｎｏｒ  ｅＮＢはアクセスネットワーク装置であり、中継システムである前記無線アクセスネットワークにおける第０伝送階層又は第０伝送ホップ数とし、Ｄｏｎｏｒ  ｅＮＢに接続されるＲＮ１は中継システムにおける第１伝送階層又は第１伝送ホップ数とし、ＲＮ１に接続されるＲＮ２は中継システムにおける第２伝送階層又は第２伝送ホップ数とする。各伝送階層の第２伝送ポイントは、それによって送信された対応する指示情報に、該第２伝送ポイントの前記無線アクセスネットワークでの伝送階層又は伝送ホップ数を含める。
【００４４】
このように、第２伝送ポイントから送信された指示情報に、前記第２伝送ポイントの前記無線アクセスネットワークでの伝送階層又は伝送ホップ数を含めることで、第１伝送ポイントは前記伝送階層又は伝送ホップ数に基づいて、伝送階層又は伝送ホップ数と伝送リソースとのマッピング関係に合わせて、前記無線アクセスネットワークへのアクセスに使用される伝送リソースを取得することができ、無線アクセスネットワークのアクセス効率を効果的に向上させることができる。前記マッピング関係は予め第１伝送ポイントにおいて設定され、又はネットワーク設定の方式によって第１伝送ポイントに送信されるようにしてもよい。
【００４５】
本実施例では、第１伝送ポイントは第２伝送ポイントから送信された、前記第２伝送ポイントが中継機能をサポートすることを指示するための指示情報を受信し、それによって前記第１伝送ポイントが前記指示情報に基づいて、前記第２伝送ポイントが位置する無線アクセスネットワークにアクセスすることで、第１伝送ポイントが中継ノードとして無線アクセスネットワークにアクセスすることを実現する。
【００４６】
また、本発明に係る技術案によれば、第２伝送ポイントから送信された指示情報に前記第２伝送ポイントの前記無線アクセスネットワークでの伝送階層又は伝送ホップ数を含め、それによって第１伝送ポイントは前記伝送階層又は伝送ホップ数に基づいて、前記無線アクセスネットワークへのアクセスに使用される伝送リソースを取得することができ、無線アクセスネットワークのアクセス効率を効果的に向上させることができる。
【００４７】
図２示されるように、図２は本発明の他の実施例に係る他のアクセス方法の模式的なフローチャートである。
【００４８】
２０１、第２伝送ポイントは前記第２伝送ポイントが中継機能をサポートすることを指示するための指示情報を第１伝送ポイントに送信し、それによって前記第１伝送ポイントは前記指示情報に基づいて、前記第２伝送ポイントが位置する無線アクセスネットワークにアクセスする。
【００４９】
選択肢として、本実施例では、前記第２伝送ポイントが中継機能をサポートすることは、該第２伝送ポイントは例えば中継装置等のような他の伝送ポイント（即ち、第１伝送ポイント）の、該第２伝送ポイントが位置する無線アクセスネットワークへのアクセスをサポートすることを指す。
【００５０】
選択肢として、本実施例では、前記第２伝送ポイントが位置する無線アクセスネットワークにアクセスすることは、中継装置（即ち、第１伝送ポイント）が第２伝送ポイントから送信された同期信号を受信して、第２伝送ポイントをアクセスポイントとして無線アクセスネットワークにアクセスすることを指す。
【００５１】
このように、第２伝送ポイントが中継機能をサポートするため、第１伝送ポイントは第２伝送ポイントを介して、該第２伝送ポイントが位置する無線アクセスネットワークにアクセスすることができる。
【００５２】
なお、前記第１伝送ポイントは第１中継装置を含み得るが、これに限定されない。シングルホップアクセスのみをサポートする中継システムの場合、前記第２伝送ポイントは前記無線アクセスネットワークのアクセスネットワーク装置であってもよく、マルチホップアクセスをサポートする中継システムの場合、前記第２伝送ポイントは第２中継装置又は前記無線アクセスネットワークのアクセスネットワーク装置であってもよいが、本実施例ではこれを特に限定しない。
【００５３】
選択肢として、本実施例の可能な実施形態において、２０１では、前記第２伝送ポイントは具体的に、システムブロードキャストメッセージ、同期信号又は上位層シグナリングによって前記指示情報を前記第１伝送ポイントに送信するようにしてもよい。
【００５４】
具体的な実施プロセスでは、前記第２伝送ポイントは具体的に、システムブロードキャストメッセージにおけるＭＩＢ又はＳＩＢによって前記指示情報を前記第１伝送ポイントに受発信するようにしてもよい。
【００５５】
例えば、具体的に、前記システムブロードキャストメッセージにおける既存のマスター情報ブロック（Ｍａｓｔｅｒ  Ｉｎｆｏｒｍａｔｉｏｎ  Ｂｌｏｃｋ、ＭＩＢ）又はシステム情報ブロック（Ｓｙｓｔｅｍ  Ｉｎｆｏｒｍａｔｉｏｎ  Ｂｌｏｃｋ、ＳＩＢ）中のＫビット（ｂｉｔ）に前記指示情報を含め、Ｋが１以上の整数であり、又は新たなＳＩＢを追加して前記指示情報を含めるようにしてもよい。
【００５６】
又は、また例えば、具体的に、前記システムブロードキャストメッセージにおける既存のマスター情報ブロック（Ｍａｓｔｅｒ  Ｉｎｆｏｒｍａｔｉｏｎ  Ｂｌｏｃｋ、ＭＩＢ）又はシステム情報ブロック（Ｓｙｓｔｅｍ  Ｉｎｆｏｒｍａｔｉｏｎ  Ｂｌｏｃｋ、ＳＩＢ）を伝送する基準信号によって、前記指示情報を指示するようにしてもよい。例えば、基準信号のルートシーケンス、サイクリックシフト（Ｃｙｃｌｉｃ  ｓｈｉｆｔ）、直交カバーコード（Ｏｒｔｈｏｇｏｎａｌ  ｃｏｖｅｒ  ｃｏｄｅ）等によって、前記指示情報を指示するようにしてもよい。
【００５７】
他の具体的な実施プロセスでは、前記第２伝送ポイントは具体的に、プライマリ同期信号及び／又はセカンダリ同期信号によって前記指示情報を前記第１伝送ポイントに受発信するようにしてもよい。
【００５８】
他の具体的な実施プロセスでは、前記第２伝送ポイントは具体的に、指定同期信号によって前記指示情報を前記第１伝送ポイントに受発信するようにしてもよい。
【００５９】
他の具体的な実施プロセスでは、前記第２伝送ポイントは具体的に、指定グループ内のいずれかの同期信号によって前記指示情報を前記第１伝送ポイントに受発信するようにしてもよい。
【００６０】
具体的に、同期信号をグループ化して第１グループ及び第２グループの２つのグループを取得してもよい。第１グループ内の同期信号はいずれも前記第２伝送ポイントが中継機能をサポートすることを示し、第２グループ内の同期信号はいずれも前記第２伝送ポイントが中継機能をサポートしないことを示す。前記第２伝送ポイントは自体が中継機能をサポートするか否かに応じて、対応するグループから１つの同期信号を任意に選択して伝送することができる。
【００６１】
前記第１伝送ポイントは同期信号を受信すると、該同期信号及び予め設定された第１マッピング関係に基づいて、前記第２伝送ポイントが中継機能をサポートするか否かを決定することができる。第１マッピング関係は同期信号とグループとの対応関係、又は同期信号と中継機能をサポートするか否かとの対応関係であってもよいが、本実施例ではそれを特に限定しない。
【００６２】
他の具体的な実施プロセスでは、前記第２伝送ポイントは具体的に、無線物理リソース制御（Ｒａｄｉｏ  Ｒｅｓｏｕｒｃｅ  Ｃｏｎｔｒｏｌ、ＲＲＣ）メッセージによって前記指示情報を前記第１伝送ポイントに受発信するようにしてもよい。
【００６３】
具体的に、ＲＲＣメッセージにおける情報要素（Ｉｎｆｏｒｍａｔｉｏｎ  Ｅｌｅｍｅｎｔ、ＩＥ）に前記指示情報を含めてもよく、前記ＲＲＣメッセージは従来技術のＲＲＣメッセージであってもよく、例えば、ＲＲＣ接続再設定（ＲＲＣ  ＣＯＮＮＥＣＴＩＯＮ  ＲＥＣＯＮＦＩＧＵＲＡＴＩＯＮ）メッセージ等が挙げられるが、本実施例ではこれを限定せず、既存のＲＲＣメッセージのＩＥを拡張して前記指示情報を含め、又は前記ＲＲＣメッセージは従来技術の既存のＲＲＣメッセージと異なるものであってもよい。
【００６４】
他の具体的な実施プロセスでは、前記第２伝送ポイントは具体的に、メディアアクセス制御（Ｍｅｄｉａ  Ａｃｃｅｓｓ  Ｃｏｎｔｒｏｌ、ＭＡＣ）の制御要素（Ｃｏｎｔｒｏｌ  Ｅｌｅｍｅｎｔ、ＣＥ）メッセージによって前記指示情報を前記第１伝送ポイントに送信するようにしてもよい。
【００６５】
具体的に、新たなＭＡＣ  ＣＥメッセージを追加して前記指示情報を含めてもよい。
【００６６】
選択肢として、本実施例の可能な実施形態において、２０１では、前記第２伝送ポイントが送信した前記指示情報には更に、前記第２伝送ポイントの前記無線アクセスネットワークでの伝送階層又は伝送ホップ数が含まれてもよい。
【００６７】
例えば、Ｄｏｎｏｒ  ｅＮＢはアクセスネットワーク装置であり、中継システムである前記無線アクセスネットワークにおける第０伝送階層又は第０伝送ホップ数とし、Ｄｏｎｏｒ  ｅＮＢに接続されるＲＮ１は中継システムにおける第１伝送階層又は第１伝送ホップ数とし、ＲＮ１に接続されるＲＮ２は中継システムにおける第２伝送階層又は第２伝送ホップ数とする。各伝送階層の第２伝送ポイントは、それによって送信された対応する指示情報に、該第２伝送ポイントの前記無線アクセスネットワークでの伝送階層又は伝送ホップ数を含める。
【００６８】
このように、第２伝送ポイントから送信された指示情報に、前記第２伝送ポイントの前記無線アクセスネットワークでの伝送階層又は伝送ホップ数を含めることで、第１伝送ポイントは前記伝送階層又は伝送ホップ数に基づいて、伝送階層又は伝送ホップ数と伝送リソースとのマッピング関係に合わせて、前記無線アクセスネットワークへのアクセスに使用される伝送リソースを取得することができ、無線アクセスネットワークのアクセス効率を効果的に向上させることができる。前記マッピング関係は予め第１伝送ポイントにおいて設定され、又はネットワーク設定の方式によって第１伝送ポイントに送信されるようにしてもよい。
【００６９】
本実施例では、第１伝送ポイントは第２伝送ポイントから送信された、前記第２伝送ポイントが中継機能をサポートすることを指示するための指示情報を受信し、それによって前記第１伝送ポイントは前記指示情報に基づいて、前記第２伝送ポイントが位置する無線アクセスネットワークにアクセスすることで、第１伝送ポイントが中継ノードとして無線アクセスネットワークにアクセスすることを実現する。
【００７０】
また、本発明に係る技術案によれば、第２伝送ポイントから送信された指示情報に前記第２伝送ポイントの前記無線アクセスネットワークでの伝送階層又は伝送ホップ数を含め、それによって第１伝送ポイントは前記伝送階層又は伝送ホップ数に基づいて、前記無線アクセスネットワークへのアクセスに使用される伝送リソースを取得することができ、無線アクセスネットワークのアクセス効率を効果的に向上させることができる。
【００７１】
なお、上記各方法の実施例について、簡単な説明のために、一連の動作組合せとして説明したが、当業者であれば理解できるように、本発明は説明された動作の順序に限定されるものではなく、本発明に基づいていくつかのステップを他の順序で又は同時に実行してもよい。また、当業者であれば理解できるように、明細書に説明される実施例はいずれも好適実施例に属し、係る動作やモジュールは必ずしも本発明に必須なものであるとは限らない。
【００７２】
上記実施例では、各実施例をそれぞれの相違点に重点をおいて説明し、ある実施例で詳細説明されていない部分については、他の実施例の関連説明を参照することができる。
【００７３】
図３に示すように、図３は本発明の他の実施例に係る第１伝送ポイントの構造模式図である。本実施例の第１伝送ポイントは受信ユニット３１を備えてもよい。受信ユニット３１は第２伝送ポイントから送信された、前記第２伝送ポイントが中継機能をサポートすることを指示するための指示情報を受信することに用いられ、アクセスユニット３２は前記指示情報に基づいて、前記第２伝送ポイントが位置する無線アクセスネットワークにアクセスすることに用いられる。
【００７４】
なお、前記第１伝送ポイントは第１中継装置を含み得るが、これに限定されない。シングルホップアクセスのみをサポートする中継システムの場合、前記第２伝送ポイントは前記無線アクセスネットワークのアクセスネットワーク装置であってもよく、マルチホップアクセスをサポートする中継システムの場合、前記第２伝送ポイントは第２中継装置又は前記無線アクセスネットワークのアクセスネットワーク装置であってもよいが、本実施例ではこれを特に限定しない。
【００７５】
選択肢として、本実施例の可能な実施形態では、前記受信ユニット３１は具体的に、前記第２伝送ポイントがシステムブロードキャストメッセージ、同期信号又は上位層シグナリングによって送信した前記指示情報を受信することに用いられてもよい。
【００７６】
具体的な実施プロセスでは、前記受信ユニット３１は具体的に、前記第２伝送ポイントがシステムブロードキャストメッセージにおけるＭＩＢ又はＳＩＢによって送信した前記指示情報を受信することに用いられてもよい。
【００７７】
他の具体的な実施プロセスでは、前記受信ユニット３１は具体的に、前記第２伝送ポイントがプライマリ同期信号及び／又はセカンダリ同期信号によって送信した前記指示情報を受信することに用いられてもよい。
【００７８】
他の具体的な実施プロセスでは、前記受信ユニット３１は具体的に、前記第２伝送ポイントが指定同期信号によって送信した前記指示情報を受信すること、又は、前記第２伝送ポイントが指定グループ内のいずれかの同期信号によって送信した前記指示情報を受信することに用いられてもよい。
【００７９】
他の具体的な実施プロセスでは、前記受信ユニット３１は具体的に、前記第２伝送ポイントがＲＲＣメッセージによって送信した前記指示情報を受信することに用いられてもよい。
【００８０】
選択肢として、本実施例の可能な実施形態では、前記指示情報には更に前記第２伝送ポイントの前記無線アクセスネットワークでの伝送階層又は伝送ホップ数が含まれてもよい。
【００８１】
なお、図１に対応する実施例における第１伝送ポイントが実行する方法は、本実施例に係る第１伝送ポイントによって実現できる。詳細説明については図１に対応する実施例の関連内容を参照すればよく、ここでは詳細説明を省略する。
【００８２】
本実施例では、受信ユニットは第２伝送ポイントから送信された、前記第２伝送ポイントが中継機能をサポートすることを指示するための指示情報を受信し、それによってアクセスユニットは前記指示情報に基づいて、前記第２伝送ポイントが位置する無線アクセスネットワークにアクセスすることができ、第１伝送ポイントが中継ノードとして無線アクセスネットワークにアクセスすることを実現する。
【００８３】
また、本発明に係る技術案によれば、第２伝送ポイントから送信された指示情報に前記第２伝送ポイントの前記無線アクセスネットワークでの伝送階層又は伝送ホップ数を含め、それによって第１伝送ポイントは前記伝送階層又は伝送ホップ数に基づいて、前記無線アクセスネットワークへのアクセスに使用される伝送リソースを取得することができ、無線アクセスネットワークのアクセス効率を効果的に向上させることができる。
【００８４】
図４に示すように、図４は本発明の他の実施例に係る第２伝送ポイントの構造模式図である。本実施例の第２伝送ポイントは送信ユニット４１を備えてもよく、前記第２伝送ポイントが中継機能をサポートすることを指示するための指示情報を第１伝送ポイントに送信し、それによって前記第１伝送ポイントが前記指示情報に基づいて、前記第２伝送ポイントが位置する無線アクセスネットワークにアクセスすることに用いられる。
【００８５】
なお、前記第１伝送ポイントは第１中継装置を含み得るが、これに限定されない。シングルホップアクセスのみをサポートする中継システムの場合、前記第２伝送ポイントは前記無線アクセスネットワークのアクセスネットワーク装置であってもよく、マルチホップアクセスをサポートする中継システムの場合、前記第２伝送ポイントは第２中継装置又は前記無線アクセスネットワークのアクセスネットワーク装置であってもよいが、本実施例ではこれを特に限定しない。
【００８６】
選択肢として、本実施例の可能な実施形態では、前記送信ユニット４１は具体的に、システムブロードキャストメッセージ、同期信号又は上位層シグナリングによって前記指示情報を前記第１伝送ポイントに送信することに用いられてもよい。
【００８７】
具体的な実施プロセスでは、前記送信ユニット４１は具体的に、システムブロードキャストメッセージにおけるＭＩＢ又はＳＩＢによって前記指示情報を前記第１伝送ポイントに受発信することに用いられてもよい。
【００８８】
他の具体的な実施プロセスでは、前記送信ユニット４１は具体的に、プライマリ同期信号及び／又はセカンダリ同期信号によって前記指示情報を前記第１伝送ポイントに受発信することに用いられてもよい。
【００８９】
他の具体的な実施プロセスでは、前記送信ユニット４１は具体的に、指定同期信号によって前記指示情報を前記第１伝送ポイントに受発信すること、又は、指定グループ内のいずれかの同期信号によって前記指示情報を前記第１伝送ポイントに受発信することに用いられてもよい。
【００９０】
他の具体的な実施プロセスでは、前記送信ユニット４１は具体的に、ＲＲＣメッセージによって、前記指示情報を前記第１伝送ポイントに受発信することに用いられてもよい。
【００９１】
選択肢として、本実施例の可能な実施形態では、前記指示情報には更に前記第２伝送ポイントの前記無線アクセスネットワークでの伝送階層又は伝送ホップ数が含まれてもよい。
【００９２】
なお、図２に対応する実施例における第２伝送ポイントが実行する方法は、本実施例に係る第２伝送ポイントによって実現できる。詳細説明については図２に対応する実施例の関連内容を参照すればよく、ここでは詳細説明を省略する。
【００９３】
本実施例では、送信ユニットは前記第２伝送ポイントが中継機能をサポートすることを指示するための指示情報を第１伝送ポイントに送信し、それによって前記第１伝送ポイントは前記指示情報に基づいて、前記第２伝送ポイントが位置する無線アクセスネットワークにアクセスすることで、第１伝送ポイントが中継ノードとして無線アクセスネットワークにアクセスすることを実現する。
【００９４】
また、本発明に係る技術案によれば、第２伝送ポイントから送信された指示情報に前記第２伝送ポイントの前記無線アクセスネットワークでの伝送階層又は伝送ホップ数を含め、それによって第１伝送ポイントは前記伝送階層又は伝送ホップ数に基づいて、前記無線アクセスネットワークへのアクセスに使用される伝送リソースを取得することができ、無線アクセスネットワークのアクセス効率を効果的に向上させることができる。
【００９５】
図５は本願の実施例に係る通信装置５００の構造模式図である。図５に示される通信装置５００はプロセッサ５１０を備え、プロセッサ５１０はメモリからコンピュータプログラムを呼び出して実行して、本願の実施例における方法を実現するようにしてもよい。
【００９６】
選択肢として、図５に示すように、通信装置５００はメモリ５２０を更に備えてもよい。プロセッサ５１０はメモリ５２０からコンピュータプログラムを呼び出して実行して、本願の実施例における方法を実現するようにしてもよい。
【００９７】
メモリ５２０はプロセッサ５１０から独立した単独なデバイスであってもよく、プロセッサ５１０に集積されてもよい。
【００９８】
理解されるように、本願の実施例のプロセッサは信号処理能力を有する集積回路チップであってもよい。実現過程において、上記方法の実施例の各ステップはプロセッサにおけるハードウェアの集積論理回路又はソフトウェアの形態の命令によって行われる。上記プロセッサは汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）又は他のプログラマブルロジックデバイス、ディスクリートゲート又はトランジスタロジックデバイス、ディスクリートハードウェアユニットであってもよい。本願の実施例に開示されている各方法、ステップ及び論理ブロック図を実現又は実行できる。汎用プロセッサはマイクロプロセッサであってもよく、又は該プロセッサは任意の通常のプロセッサ等であってもよい。本願の実施例に開示されている方法のステップは直接にハードウェアデコードプロセッサによって実行され、又はデコードプロセッサにおけるハードウェア及びソフトウェアモジュール組合せによって実行されるようにしてもよい。ソフトウェアモジュールはランダムアクセスメモリ、フラッシュメモリ、読み出し専用メモリ、プログラマブル読み出し専用メモリ又は電気的消去可能プログラマブルメモリ、レジスタ等の本分野の成熟した記憶媒体に位置してもよい。該記憶媒体はメモリに位置し、プロセッサはメモリにおける情報を読み取り、そのハードウェアと組み合わせて上記方法のステップを実行する。
【００９９】
理解できるように、本願の実施例では、メモリは揮発性メモリ又は不揮発性メモリであってもよく、揮発性及び不揮発性メモリの両方を含んでもよい。不揮発性メモリは読み出し専用メモリ（Ｒｅａｄ−Ｏｎｌｙ  Ｍｅｍｏｒｙ、ＲＯＭ）、プログラマブル読み出し専用メモリ（Ｐｒｏｇｒａｍｍａｂｌｅ  ＲＯＭ、ＰＲＯＭ）、消去可能プログラマブル読み出し専用メモリ（Ｅｒａｓａｂｌｅ  ＰＲＯＭ、ＥＰＲＯＭ）、電気的消去可能プログラマブル読み出し専用メモリ（Ｅｌｅｃｔｒｉｃａｌｌｙ  ＥＰＲＯＭ、ＥＥＰＲＯＭ）又はフラッシュメモリであってもよい。揮発性メモリはランダムアクセスメモリ（Ｒａｎｄｏｍ  Ａｃｃｅｓｓ  Ｍｅｍｏｒｙ、ＲＡＭ）であってもよく、外部高速キャッシュメモリとして機能する。制限的ではなく例示的に説明すると、様々な形態のＲＡＭは使用可能であり、例えば、スタティックランダムアクセスメモリ（Ｓｔａｔｉｃ  ＲＡＭ、ＳＲＡＭ）、ダイナミックランダムアクセスメモリ（Ｄｙｎａｍｉｃ  ＲＡＭ、ＤＲＡＭ）、同期ダイナミックランダムアクセスメモリ（Ｓｙｎｃｈｒｏｎｏｕｓ  ＤＲＡＭ、ＳＤＲＡＭ）、ダブルデータレート同期ダイナミックランダムアクセスメモリ（Ｄｏｕｂｌｅ  Ｄａｔａ  Ｒａｔｅ  ＳＤＲＡＭ、ＤＤＲ  ＳＤＲＡＭ）、拡張同期ダイナミックランダムアクセスメモリ（Ｅｎｈａｎｃｅｄ  ＳＤＲＡＭ、ＥＳＤＲＡＭ）、シンクリンクダイナミックランダムアクセスメモリ（Ｓｙｎｃｈｌｉｎｋ  ＤＲＡＭ、ＳＬＤＲＡＭ）及びダイレクトラムバスランダムアクセスメモリ（Ｄｉｒｅｃｔ  Ｒａｍｂｕｓ  ＲＡＭ、ＤＲ  ＲＡＭ）が挙げられる。なお、本明細書に記載のシステム及び方法のメモリはこれら及び任意の適切なタイプのメモリを含むが、それらに限定されない。
【０１００】
理解されるように、上記メモリは制限的な説明ではなく例示的なものであり、例えば、本願の実施例におけるメモリは更にスタティックランダムアクセスメモリ（ｓｔａｔｉｃ  ＲＡＭ、ＳＲＡＭ）、ダイナミックランダムアクセスメモリ（ｄｙｎａｍｉｃ  ＲＡＭ、ＤＲＡＭ）、同期ダイナミックランダムアクセスメモリ（ｓｙｎｃｈｒｏｎｏｕｓ  ＤＲＡＭ、ＳＤＲＡＭ）、ダブルデータレート同期ダイナミックランダムアクセスメモリ（ｄｏｕｂｌｅ  ｄａｔａ  ｒａｔｅ  ＳＤＲＡＭ、ＤＤＲ  ＳＤＲＡＭ）、拡張同期ダイナミックランダムアクセスメモリ（ｅｎｈａｎｃｅｄ  ＳＤＲＡＭ、ＥＳＤＲＡＭ）、シンクリンクダイナミックランダムアクセスメモリ（ｓｙｎｃｈ  ｌｉｎｋ  ＤＲＡＭ、ＳＬＤＲＡＭ）及びダイレクトラムバスランダムアクセスメモリ（Ｄｉｒｅｃｔ  Ｒａｍｂｕｓ  ＲＡＭ、ＤＲ  ＲＡＭ）等であってもよい。すなわち、本願の実施例におけるメモリはこれら及び任意の適切なタイプのメモリを含むが、それらに限定されない。
【０１０１】
選択肢として、図５に示すように、通信装置５００は更に送受信機５３０を備えてもよく、プロセッサ５１０は他の装置と通信するように該送受信機５３０を制御してもよく、具体的に、情報又はデータを他の装置に送信し、又は他の装置から送信された情報又はデータを受信するようにしてもよい。
【０１０２】
送受信機５３０は送信機及び受信機を備えてもよい。送受信機５３０は更にアンテナを備えてもよく、アンテナの数は１つ又は複数であってもよい。
【０１０３】
選択肢として、該通信装置５００は具体的に本願の実施例のネットワーク装置であってもよく、そして該通信装置５００は本願の実施例の各方法におけるネットワーク装置によって実現される対応するプロセスを実現できる。簡潔のために、ここでは詳細説明を省略する。
【０１０４】
選択肢として、該通信装置５００は具体的に本願の実施例の端末装置であってもよく、そして該通信装置５００は本願の実施例の各方法における端末装置によって実現される対応するプロセスを実現できる。簡潔のために、ここでは詳細説明を省略する。
【０１０５】
図６は本願の実施例に係るチップの構造模式図である。図６に示されるチップ６００はプロセッサ６１０を備え、プロセッサ６１０はメモリからコンピュータプログラムを呼び出して実行して、本願の実施例における方法を実現するようにしてもよい。
【０１０６】
選択肢として、図６に示すように、チップ６００は更にメモリ６２０を備えてもよい。プロセッサ６１０はメモリ６２０からコンピュータプログラムを呼び出して実行して、本願の実施例における方法を実現するようにしてもよい。
【０１０７】
メモリ６２０はプロセッサ６１０から独立した単独なデバイスであってもよく、プロセッサ６１０に集積あれてもよい。
【０１０８】
理解されるように、本願の実施例のプロセッサは信号処理能力を有する集積回路チップであってもよい。実現過程において、上記方法の実施例の各ステップはプロセッサにおけるハードウェアの集積論理回路又はソフトウェアの形態の命令によって行われる。上記プロセッサは汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）又は他のプログラマブルロジックデバイス、ディスクリートゲート又はトランジスタロジックデバイス、ディスクリートハードウェアユニットであってもよい。本願の実施例に開示されている各方法、ステップ及び論理ブロック図を実現又は実行できる。汎用プロセッサはマイクロプロセッサであってもよく、又は該プロセッサは任意の通常のプロセッサ等であってもよい。本願の実施例に開示されている方法のステップは直接にハードウェアデコードプロセッサによって実行され、又はデコードプロセッサのハードウェア及びソフトウェアモジュール組合せによって実行されるようにしてもよい。ソフトウェアモジュールはランダムアクセスメモリ、フラッシュメモリ、読み出し専用メモリ、プログラマブル読み出し専用メモリ又は電気的消去可能プログラマブルメモリ、レジスタ等の本分野の成熟した記憶媒体に位置してもよい。該記憶媒体はメモリに位置し、プロセッサはメモリにおける情報を読み取り、そのハードウェアと組み合わせて上記方法のステップを実行する。
【０１０９】
理解できるように、本願の実施例におけるメモリは揮発性メモリ又は不揮発性メモリであってもよく、揮発性及び不揮発性メモリの両方を含んでもよい。不揮発性メモリは読み出し専用メモリ（Ｒｅａｄ−Ｏｎｌｙ  Ｍｅｍｏｒｙ、ＲＯＭ）、プログラマブル読み出し専用メモリ（Ｐｒｏｇｒａｍｍａｂｌｅ  ＲＯＭ、ＰＲＯＭ）、消去可能プログラマブル読み出し専用メモリ（Ｅｒａｓａｂｌｅ  ＰＲＯＭ、ＥＰＲＯＭ）、電気的消去可能プログラマブル読み出し専用メモリ（Ｅｌｅｃｔｒｉｃａｌｌｙ  ＥＰＲＯＭ、ＥＥＰＲＯＭ）又はフラッシュメモリであってもよい。揮発性メモリはランダムアクセスメモリ（Ｒａｎｄｏｍ  Ａｃｃｅｓｓ  Ｍｅｍｏｒｙ、ＲＡＭ）であってもよく、外部高速キャッシュメモリとして機能する。制限的ではなく例示的に説明すると、様々な形態のＲＡＭは使用可能であり、例えば、スタティックランダムアクセスメモリ（Ｓｔａｔｉｃ  ＲＡＭ、ＳＲＡＭ）、ダイナミックランダムアクセスメモリ（Ｄｙｎａｍｉｃ  ＲＡＭ、ＤＲＡＭ）、同期ダイナミックランダムアクセスメモリ（Ｓｙｎｃｈｒｏｎｏｕｓ  ＤＲＡＭ、ＳＤＲＡＭ）、ダブルデータレート同期ダイナミックランダムアクセスメモリ（Ｄｏｕｂｌｅ  Ｄａｔａ  Ｒａｔｅ  ＳＤＲＡＭ、ＤＤＲ  ＳＤＲＡＭ）、拡張同期ダイナミックランダムアクセスメモリ（Ｅｎｈａｎｃｅｄ  ＳＤＲＡＭ、ＥＳＤＲＡＭ）、シンクリンクダイナミックランダムアクセスメモリ（Ｓｙｎｃｈｌｉｎｋ  ＤＲＡＭ、ＳＬＤＲＡＭ）及びダイレクトラムバスランダムアクセスメモリ（Ｄｉｒｅｃｔ  Ｒａｍｂｕｓ  ＲＡＭ、ＤＲ  ＲＡＭ）が挙げられる。なお、本明細書に記載のシステム及び方法のメモリはこれら及び任意の適切なタイプのメモリを含むが、それらに限定されない。
【０１１０】
理解されるように、上記メモリは制限的な説明ではなく例示的なものであり、例えば、本願の実施例におけるメモリは更にスタティックランダムアクセスメモリ（ｓｔａｔｉｃ  ＲＡＭ、ＳＲＡＭ）、ダイナミックランダムアクセスメモリ（ｄｙｎａｍｉｃ  ＲＡＭ、ＤＲＡＭ）、同期ダイナミックランダムアクセスメモリ（ｓｙｎｃｈｒｏｎｏｕｓ  ＤＲＡＭ、ＳＤＲＡＭ）、ダブルデータレート同期ダイナミックランダムアクセスメモリ（ｄｏｕｂｌｅ  ｄａｔａ  ｒａｔｅ  ＳＤＲＡＭ、ＤＤＲ  ＳＤＲＡＭ）、拡張同期ダイナミックランダムアクセスメモリ（ｅｎｈａｎｃｅｄ  ＳＤＲＡＭ、ＥＳＤＲＡＭ）、シンクリンクダイナミックランダムアクセスメモリ（ｓｙｎｃｈ  ｌｉｎｋ  ＤＲＡＭ、ＳＬＤＲＡＭ）及びダイレクトラムバスランダムアクセスメモリ（Ｄｉｒｅｃｔ  Ｒａｍｂｕｓ  ＲＡＭ、ＤＲ  ＲＡＭ）等であってもよい。すなわち、本願の実施例におけるメモリはこれら及び任意の適切なタイプのメモリを含むが、それらに限定されない。
【０１１１】
選択肢として、該チップ６００は更に入力インタフェース６３０を備えてもよい。プロセッサ６１０は他の装置又はチップと通信するように該入力インタフェース６３０を制御してもよく、具体的に、他の装置又はチップから送信された情報又はデータを取得するようにしてもよい。
【０１１２】
選択肢として、該チップ６００は更に出力インタフェース６４０を備えてもよい。プロセッサ６１０は他の装置又はチップと通信するように該出力インタフェース６４０を制御してもよく、具体的に、情報又はデータを他の装置又はチップに出力するようにしてもよい。
【０１１３】
選択肢として、該チップは本願の実施例におけるネットワーク装置に適用されてもよく、そして該チップは本願の実施例の各方法におけるネットワーク装置によって実現される対応するプロセスを実現できる。簡潔のために、ここでは詳細説明を省略する。
【０１１４】
選択肢として、該チップは本願の実施例における端末装置に適用されてもよく、そして該チップは本願の実施例の各方法における端末装置によって実現される対応するプロセスを実現できる。簡潔のために、ここでは詳細説明を省略する。
【０１１５】
理解されるように、本願の実施例に係るチップはシステムレベルチップ、システムチップ、チップシステム又はシステムオンチップ等と呼ばれてもよい。
【０１１６】
本願の実施例はコンピュータ可読記憶媒体を更に提供し、コンピュータプログラムを記憶することに用いられる。
【０１１７】
選択肢として、該コンピュータ可読記憶媒体は本願の実施例におけるネットワーク装置に適用されてもよく、そして該コンピュータプログラムによってコンピュータが本願の実施例の各方法におけるネットワーク装置によって実現される対応するプロセスを実行する。簡潔のために、ここでは詳細説明を省略する。
【０１１８】
選択肢として、該コンピュータ可読記憶媒体は本願の実施例における端末装置に適用されてもよく、そして該コンピュータプログラムによってコンピュータが本願の実施例の各方法における端末装置によって実現される対応するプロセスを実行する。簡潔のために、ここでは詳細説明を省略する。
【０１１９】
本願の実施例はコンピュータプログラム製品を更に提供し、コンピュータプログラム命令を含む。
【０１２０】
選択肢として、該コンピュータプログラム製品は本願の実施例におけるネットワーク装置に適用されてもよく、そして該コンピュータプログラム命令によってコンピュータが本願の実施例の各方法におけるネットワーク装置によって実現される対応するプロセスを実行する。簡潔のために、ここでは詳細説明を省略する。
【０１２１】
選択肢として、該コンピュータプログラム製品は本願の実施例における端末装置に適用されてもよく、そして該コンピュータプログラム命令によってコンピュータが本願の実施例の各方法における端末装置によって実現される対応するプロセスを実行する。簡潔のために、ここでは詳細説明を省略する。
【０１２２】
本願の実施例はコンピュータプログラムを更に提供する。
【０１２３】
選択肢として、該コンピュータプログラムは本願の実施例におけるネットワーク装置に適用されてもよく、該コンピュータプログラムがコンピュータに実行されると、コンピュータが本願の実施例の各方法におけるネットワーク装置によって実現される対応するプロセスを実行する。簡潔のために、ここでは詳細説明を省略する。
【０１２４】
選択肢として、該コンピュータプログラムは本願の実施例における端末装置に適用されてもよく、該コンピュータプログラムがコンピュータに実行されると、コンピュータが本願の実施例の各方法における端末装置によって実現される対応するプロセスを実行する。簡潔のために、ここでは詳細説明を省略する。
【０１２５】
当業者であれば理解できるように、本明細書に開示されている実施例を参照して説明された各例のユニット及びアルゴリズムのステップは、電子ハードウェア、又はコンピュータソフトウェアと電子ハードウェアとの組合せによって実現できる。これらの機能をハードウェアで実行するかソフトウェアで実行するかは、技術案の特定の応用及び設計制約条件に応じて決められる。当業者は各特定応用に応じて異なる方法でここの説明される機能を実現することができるが、このような実現は本願の範囲を超えるものと見なされるべきではない。
【０１２６】
当業者が明確に理解できるように、説明を容易で簡単にするために、上記説明されたシステム、装置及びユニットの具体的な動作過程については、前述の方法実施例における対応する過程を参照でき、ここでは繰り返し説明しない。
【０１２７】
本願によるいくつかの実施例では、開示されているシステム、装置及び方法を他の形態で実現できると理解すべきである。例えば、以上説明された装置の実施例は単に例示的なものであり、例えば、前記ユニットの分割は単に１種のロジック機能分割であり、実際の実現では他の分割方式を採用してもよく、例えば複数のユニット又は要素を他のシステムに結合又は集積し、又はいくつかの特徴を無視したり実行しなかったりする。また、表示又は検討された相互の結合又は直接結合又は通信接続はいくつかのインタフェース、装置又はユニットを介した間接結合又は通信接続であってもよく、電気的、機械的又は他の形態としてもよい。
【０１２８】
前記分離部材として説明されたユニットは物理的に分離しているものであってもよく、物理的に分離しているものでなくてもよく、ユニットとして表示される部材は物理ユニットであってもよく物理ユニットでなくてもよく、即ち、１つの場所に位置してもよく、複数のネットワークユニットに分散してもよい。実際の必要に応じて一部又は全部のユニットを選択して本実施例の技術案の目的を実現することができる。
【０１２９】
また、本願の各実施例における各機能ユニットは１つの処理ユニットに集積されてもよく、別々に物理的に存在してもよく、２つ以上のユニットは１つのユニットに集積されてもよい。
【０１３０】
前記機能はソフトウェア機能ユニットの形で実現され、そして独立した製品として販売又は使用される場合、１つのコンピュータ可読記憶媒体に記憶されてもよい。このような理解に基づいて、本願の技術案の本質又は従来技術に貢献する部分、又は該技術案の一部はソフトウェア製品の形式で具現されてもよく、該コンピュータソフトウェア製品は１つの記憶媒体に記憶され、１台のコンピュータ装置（パーソナルコンピュータ、サーバ又はネットワーク装置等であってもよい）に本願の各実施例に記載の方法の全部又は一部のステップを実行させるための若干の命令を含む。前述の記憶媒体はＵＳＢディスク、リムーバブルハードディスク、読み出し専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク又は光ディスク等の、プログラムコードを記憶できる各種の媒体を含む。
【０１３１】
以上の説明は単に本願の具体的な実施形態に過ぎず、本願の保護範囲を制限するためのものではなく、当業者が本願に開示される技術的範囲内において容易に想到し得る変更や置換は、いずれも本願の保護範囲内に含まれるべきである。従って、本願の保護範囲は特許請求の範囲に記載の保護範囲に準じるべきである。
【図１】
2021521734.tif 000003
【図２】
2021521734.tif 000004
【図３】
2021521734.tif 000005
【図４】
2021521734.tif 000006
【図５】
2021521734.tif 000007
【図６】
2021521734.tif 000008
【手続補正書】
【提出日】令和2年11月10日(2020.11.10)
【手続補正１】
【補正対象書類名】明細書
【補正対象項目名】００３２
【補正方法】変更
【補正の内容】
【００３２】
又は、また例えば、具体的に、前記システムブロードキャストメッセージにおける既存のマスター情報ブロック（Ｍａｓｔｅｒ  Ｉｎｆｏｒｍａｔｉｏｎ  Ｂｌｏｃｋ、ＭＩＢ）又はシステム情報ブロック（Ｓｙｓｔｅｍ  Ｉｎｆｏｒｍａｔｉｏｎ  Ｂｌｏｃｋ、ＳＩＢ）の基準信号によって、前記指示情報を指示するようにしてもよい。例えば、基準信号のルートシーケンス、サイクリックシフト（Ｃｙｃｌｉｃ  ｓｈｉｆｔ）、直交カバーコード（Ｏｒｔｈｏｇｏｎａｌ  ｃｏｖｅｒ  ｃｏｄｅ）等によって、前記指示情報を指示するようにしてもよい。
【手続補正２】
【補正対象書類名】明細書
【補正対象項目名】００５４
【補正方法】変更
【補正の内容】
【００５４】
具体的な実施プロセスでは、前記第２伝送ポイントは具体的に、システムブロードキャストメッセージにおけるＭＩＢ又はＳＩＢによって前記指示情報を前記第１伝送ポイントに送信するようにしてもよい。
【手続補正３】
【補正対象書類名】明細書
【補正対象項目名】００５６
【補正方法】変更
【補正の内容】
【００５６】
又は、また例えば、具体的に、前記システムブロードキャストメッセージにおける既存のマスター情報ブロック（Ｍａｓｔｅｒ  Ｉｎｆｏｒｍａｔｉｏｎ  Ｂｌｏｃｋ、ＭＩＢ）又はシステム情報ブロック（Ｓｙｓｔｅｍ  Ｉｎｆｏｒｍａｔｉｏｎ  Ｂｌｏｃｋ、ＳＩＢ）の基準信号によって、前記指示情報を指示するようにしてもよい。例えば、基準信号のルートシーケンス、サイクリックシフト（Ｃｙｃｌｉｃ  ｓｈｉｆｔ）、直交カバーコード（Ｏｒｔｈｏｇｏｎａｌ  ｃｏｖｅｒ  ｃｏｄｅ）等によって、前記指示情報を指示するようにしてもよい。
【手続補正４】
【補正対象書類名】明細書
【補正対象項目名】００５７
【補正方法】変更
【補正の内容】
【００５７】
他の具体的な実施プロセスでは、前記第２伝送ポイントは具体的に、プライマリ同期信号及び／又はセカンダリ同期信号によって前記指示情報を前記第１伝送ポイントに送信するようにしてもよい。
【手続補正５】
【補正対象書類名】明細書
【補正対象項目名】００５８
【補正方法】変更
【補正の内容】
【００５８】
他の具体的な実施プロセスでは、前記第２伝送ポイントは具体的に、指定同期信号によって前記指示情報を前記第１伝送ポイントに送信するようにしてもよい。
【手続補正６】
【補正対象書類名】明細書
【補正対象項目名】００５９
【補正方法】変更
【補正の内容】
【００５９】
他の具体的な実施プロセスでは、前記第２伝送ポイントは具体的に、指定グループ内のいずれかの同期信号によって前記指示情報を前記第１伝送ポイントに送信するようにしてもよい。
【手続補正７】
【補正対象書類名】明細書
【補正対象項目名】００６２
【補正方法】変更
【補正の内容】
【００６２】
他の具体的な実施プロセスでは、前記第２伝送ポイントは具体的に、無線物理リソース制御（Ｒａｄｉｏ  Ｒｅｓｏｕｒｃｅ  Ｃｏｎｔｒｏｌ、ＲＲＣ）メッセージによって前記指示情報を前記第１伝送ポイントに送信するようにしてもよい。
【手続補正８】
【補正対象書類名】明細書
【補正対象項目名】００７３
【補正方法】変更
【補正の内容】
【００７３】
図３に示すように、図３は本発明の他の実施例に係る第１伝送ポイントの構造模式図である。本実施例の第１伝送ポイントは受信ユニット３１及びアクセスユニット３２を備えてもよい。受信ユニット３１は第２伝送ポイントから送信された、前記第２伝送ポイントが中継機能をサポートすることを指示するための指示情報を受信することに用いられ、アクセスユニット３２は前記指示情報に基づいて、前記第２伝送ポイントが位置する無線アクセスネットワークにアクセスすることに用いられる。
【手続補正９】
【補正対象書類名】明細書
【補正対象項目名】００８７
【補正方法】変更
【補正の内容】
【００８７】
具体的な実施プロセスでは、前記送信ユニット４１は具体的に、システムブロードキャストメッセージにおけるＭＩＢ又はＳＩＢによって前記指示情報を前記第１伝送ポイントに送信することに用いられてもよい。
【手続補正１０】
【補正対象書類名】明細書
【補正対象項目名】００８８
【補正方法】変更
【補正の内容】
【００８８】
他の具体的な実施プロセスでは、前記送信ユニット４１は具体的に、プライマリ同期信号及び／又はセカンダリ同期信号によって前記指示情報を前記第１伝送ポイントに送信することに用いられてもよい。
【手続補正１１】
【補正対象書類名】明細書
【補正対象項目名】００８９
【補正方法】変更
【補正の内容】
【００８９】
他の具体的な実施プロセスでは、前記送信ユニット４１は具体的に、指定同期信号によって前記指示情報を前記第１伝送ポイントに送信すること、又は、指定グループ内のいずれかの同期信号によって前記指示情報を前記第１伝送ポイントに送信することに用いられてもよい。
【手続補正１２】
【補正対象書類名】明細書
【補正対象項目名】００９０
【補正方法】変更
【補正の内容】
【００９０】
他の具体的な実施プロセスでは、前記送信ユニット４１は具体的に、ＲＲＣメッセージによって、前記指示情報を前記第１伝送ポイントに送信することに用いられてもよい。
【手続補正１３】
【補正対象書類名】特許請求の範囲
【補正対象項目名】全文
【補正方法】変更
【補正の内容】
【特許請求の範囲】
【請求項１】
アクセス方法であって、
第２伝送ポイントは前記第２伝送ポイントが中継機能をサポートすることを指示するための指示情報を第１伝送ポイントに送信し、それによって前記第１伝送ポイントは、前記第２伝送ポイントが提供する無線アクセスネットワークにアクセスすることを含み、
前記指示情報はＭＩＢ、ＳＩＢ、同期信号、ＲＲＣメッセージ、上位層シグナリングのうちの１つによって送信されることを特徴とするアクセス方法。
【請求項２】
前記第１伝送ポイントは第１中継装置を含み、
前記第２伝送ポイントは第２中継装置又はアクセスネットワーク装置を含むことを特徴とする請求項１に記載の方法。
【請求項３】
前記指示情報には、前記第２伝送ポイントの中継システムでの伝送階層又は伝送ホップ数が含まれることを特徴とする請求項２に記載の方法。
【請求項４】
第２伝送ポイントは第２中継装置を含み、前記方法は更に、
前記第２伝送ポイントが、第３伝送ポイントから送信された、前記第３伝送ポイントが中継機能をサポートすることを指示するための指示情報を受信することを含むことを特徴とする請求項２又は３に記載の方法。
【請求項５】
前記第２伝送ポイントは前記第３伝送ポイントから送信された前記指示情報に基づいて、前記第３伝送ポイントが提供する無線アクセスネットワークにアクセスすることを特徴とする請求項４に記載の方法。
【請求項６】
前記第２伝送ポイントが同期信号によって指示情報を第１伝送ポイントに送信することは、
前記第２伝送ポイントがプライマリ同期信号及び／又はセカンダリ同期信号によって、前記指示情報を前記第１伝送ポイントに送信することを含むことを特徴とする請求項１に記載の方法。
【請求項７】
前記第２伝送ポイントが同期信号によって指示情報を第１伝送ポイントに送信することは、
前記第２伝送ポイントが指定同期信号によって、前記指示情報を前記第１伝送ポイントに送信することこと、又は、
前記第２伝送ポイントが指定グループ内のいずれかの同期信号によって、前記指示情報を前記第１伝送ポイントに送信することを含むことを特徴とする請求項１に記載の方法。
【請求項８】
第２伝送ポイントであって、
前記第２伝送ポイントが中継機能をサポートすることを指示するための指示情報を第１伝送ポイントに送信し、それによって前記第１伝送ポイントが、前記第２伝送ポイントが提供する無線アクセスネットワークにアクセスすることに用いられる送信ユニットを備え、
前記指示情報はＭＩＢ、ＳＩＢ、同期信号、ＲＲＣメッセージ、上位層シグナリングのうちの１つによって送信されることを特徴とする第２伝送ポイント。
【請求項９】
前記第１伝送ポイントは第１中継装置を含み、
前記第２伝送ポイントは第２中継装置又はアクセスネットワーク装置を含むことを特徴とする請求項８に記載の第２伝送ポイント。
【請求項１０】
前記指示情報には、前記第２伝送ポイントの中継システムでの伝送階層又は伝送ホップ数が含まれることを特徴とする請求項９に記載の第２伝送ポイント。
【請求項１１】
第２伝送ポイントは第２中継装置を含み、前記第２伝送ポイントは受信ユニットを更に含み、
前記受信ユニットは、第３伝送ポイントから送信された、前記第３伝送ポイントが中継機能をサポートすることを指示するための指示情報を受信するように構成されることを特徴とする請求項９又は１０に記載の第２伝送ポイント。
【請求項１２】
前記第３伝送ポイントから送信された前記指示情報に基づいて、前記第３伝送ポイントが提供する無線アクセスネットワークにアクセスするように構成されるアクセスユニットを更に含むことを特徴とする請求項１１に記載の第２伝送ポイント。
【請求項１３】
指示情報は同期信号によって送信され、
前記送信ユニットは、プライマリ同期信号及び／又はセカンダリ同期信号によって、前記指示情報を前記第１伝送ポイントに送信するように構成されることを特徴とする請求項８に記載の第２伝送ポイント。
【請求項１４】
指示情報は同期信号によって送信され、
前記送信ユニットは、指定同期信号によって、前記指示情報を前記第１伝送ポイントに送信し、又は、
指定グループ内のいずれかの同期信号によって、前記指示情報を前記第１伝送ポイントに送信するように構成されることを特徴とする請求項８に記載の第２伝送ポイント。
【請求項１５】
通信装置であって、プロセッサ及びメモリを備え、該メモリはコンピュータプログラムを記憶することに用いられ、前記プロセッサは前記メモリに記憶されるコンピュータプログラムを呼び出して実行して、請求項１〜７のいずれか一項に記載の方法を実行することに用いられることを特徴とする通信装置。
【請求項１６】
チップであって、メモリからコンピュータプログラムを呼び出して実行して、前記チップを搭載する装置に請求項１〜７のいずれか一項に記載の方法を実行させることに用いられるプロセッサを備えることを特徴とするチップ。
【国際調査報告】
2021521734.tif 000009
2021521734.tif 000010
2021521734.tif 000011
2021521734.tif 000012